(57)【要約】【課題】収納し易く、積み重ねが安定し、外観が良いスタッキングチェア構造を提供する。【解決手段】スタッキングチェア構造は、フレームユニット１、連結ユニット２、クッションユニット３及び蓋板４を備えた椅子Ａを含む。前記フレームユニット１は、互いに並列した２つのサイドフレーム１１を有する。各前記サイドフレーム１１は、第１の合わせ領域１１１、第２の合わせ領域１１２及び背凭れ領域１１３を有する。前記第１の合わせ領域１１１は、上端に後部収納端１１１１が凹設され、下端に後部嵌設端１１１２が突設される。前記後部収納端１１１１には、設置空間１１１３が凹設される。前記第２の合わせ領域１１２は、前記第１の合わせ領域１１１から前方へ延び、下端に前部収納端１１２１が凹設され、上端に前部嵌設端１１２２が突設される。前記背凭れ領域１１３は、前記第１の合わせ領域１１１の後端から上方へ延びる。【選択図】図１
0003216438.tif 000002
【実用新案登録請求の範囲】
【請求項１】
フレームユニット、連結ユニット、クッションユニット及び蓋板を備えた椅子を含むスタッキングチェア構造であって、
前記フレームユニットは、互いに並列した２つのサイドフレームを有し、各前記サイドフレームは、第１の合わせ領域、第２の合わせ領域及び背凭れ領域を有し、前記第１の合わせ領域は、上端に後部収納端が凹設され、下端に後部嵌設端が突設され、前記後部収納端には、設置空間が凹設され、前記第２の合わせ領域は、前記第１の合わせ領域から前方へ延び、下端に前部収納端が凹設され、上端に前部嵌設端が突設され、前記背凭れ領域は、前記第１の合わせ領域の後端から上方へ延び、
前記連結ユニットは、各前記フレームユニットの各前記サイドフレーム間に設けられた少なくとも１つの接続部材と、各前記サイドフレームの前記背凭れ領域に設けられた裏板と、を有し、
前記クッションユニットは、前記フレームユニットの各前記サイドフレームの前記第１の合わせ領域及び前記第２の合わせ領域の下端に設けられ、前記椅子を積み重ねると、前記第１の合わせ領域に設けられた前記クッションユニットが前記設置空間に収容され、
前記蓋板は、前記連結ユニットの各前記接続部材の上端に取り付けられることを特徴とするスタッキングチェア構造。
【請求項２】
前記フレームユニットの各前記サイドフレームの前記背凭れ領域の前後端の弧面は、一致するように組み合わされ、積み重ねられると互いに接合することを特徴とする請求項１に記載のスタッキングチェア構造。
【請求項３】
複数の前記サイドフレームの前記第１の合わせ領域の前記後部収納端及び前記後部嵌設端は、凹設部分及び突設部分が同じ角度及び形状を有するため、複数の前記椅子を積み重ねると嵌設された状態となることを特徴とする請求項１に記載のスタッキングチェア構造。
【請求項４】
複数の前記サイドフレームの前記第２の合わせ領域の前記前部収納端及び前記前部嵌設端は、凹設部分及び突設部分が同じ角度及び形状を有するため、複数の前記椅子を積み重ねると嵌設された状態となることを特徴とする請求項１に記載のスタッキングチェア構造。
【請求項５】
前記フレームユニット、前記連結ユニット及び前記蓋板は、一体式又は組立式で結合されることを特徴とする請求項１に記載のスタッキングチェア構造。
【請求項６】
前記組立式で結合する場合、前記フレームユニットの各前記サイドフレームは、複数の装着端を有し、
前記装着端は、各前記サイドフレームの前記第１の合わせ領域、前記第２の合わせ領域及び前記背凭れ領域の側方に設けられることを特徴とする請求項５に記載のスタッキングチェア構造。
【請求項７】
前記第１の合わせ領域及び前記第２の合わせ領域に前記装着端が設けられているとき、前記連結ユニットの各前記接続部材は、２つの組立端を有し、各前記接続部材の両側には、各前記サイドフレームの前記第１の合わせ領域及び前記第２の合わせ領域の前記装着端に各前記接続部材が取り付けられることを特徴とする請求項６に記載のスタッキングチェア構造。
【請求項８】
各前記サイドフレームの前記背凭れ領域に前記装着端が設けられているとき、前記連結ユニットの前記裏板は、２つの組立端を有し、
各前記裏板の両側端には、前記背凭れ領域の前記装着端が取り付けられることを特徴とする請求項６に記載のスタッキングチェア構造。
【請求項９】
各前記装着端と各前記組立端とは、螺着式又は組立式により結合されることを特徴とする請求項７又は８に記載のスタッキングチェア構造。
【請求項１０】
前記クッションユニットは、螺着式又は組立式により結合されることを特徴とする請求項１に記載のスタッキングチェア構造。
【考案の詳細な説明】
【技術分野】
【０００１】
本考案は、スタッキングチェア構造に関するものであり、さらに詳しくは、収納するときに積み重ねることが可能である上、積み重ねたときに互いに組み合わされて安定し、取り出す際に引っ掛からない、収納が容易で積み重ねが安定して外観も良いスタッキングチェア構造に関するものである。
【背景技術】
【０００２】
一部の椅子は、片付けて使用可能なスペースを広く確保することができるようになっている。従来、使用した後に片付けて整理することができる折り畳み式椅子が市販されている。この折り畳み式椅子は、折り畳んで積み重ねると使用可能なスペースを生み出すことができる。その他には、上下方向に積み重ねて多数の椅子を収納し、利用可能なスペースを生み出す一体式椅子もある。
【０００３】
しかし、上述したような従来の折り畳み式椅子は、折り畳むときに不注意から身体の一部を挟んで怪我してしまうことがあり、折り畳んで収納する際、垂直に載置すると取り出すのが容易でない上、バランスを崩して倒れてしまう虞があった。そのため、壁面に寄りかからせて載置しなければならなかったが、これは片付けの困難度が高まり、ユーザが不便に感じることがあった。積み重ね式プラスチック椅子は、下端が凹んだ状態にあり、互いに密着させると多めの椅子を積み重ねることができるが、実際に使用するときに結合が強固なため、積み重ねる際に椅子が互いに押し付けられて引掛かかり、取り出しにくくなることがあった。一般に積み重ねることが可能な椅子は、その脚部がシートの外周に取り付けられている。そのため、脚部同士が当たることを避けながら積み重ねることができるため、引っ掛かることがないが、積み重ねる際、互いに固定されていないため、滑り落ちて倒れることがあるという欠点があり、改良が求められていた。
【考案の概要】
【考案が解決しようとする課題】
【０００４】
従って、本考案の主な課題は、収納するときに積み重ねると、互いに組み合わされて安定し、取り出すときに引っ掛かることを防ぎ、収納し易く、積み重ねが安定し、外観が良いスタッキングチェア構造を提供することにある。
【課題を解決するための手段】
【０００５】
そこで、本考案者は、本考案の前記課題を解決するため鋭意検討を重ねた結果、後述の通り、フレームユニット、連結ユニット、クッションユニット、及び蓋板を構成要素とし、フレームユニットの２つのサイドフレームに少なくとも合わせ領域をそれぞれ設けることにより、前記課題を解決できることに着目し、かかる知見に基いて、本考案に想到するに至った。
すなわち、上記課題を解決するために、本考案の第１の形態によれば、フレームユニット、連結ユニット、クッションユニット及び蓋板を備えた椅子を含む、スタッキングチェア構造であって、前記フレームユニットは、互いに並列した２つのサイドフレームを有し、各前記サイドフレームは、第１の合わせ領域、第２の合わせ領域及び背凭れ領域を有し、前記第１の合わせ領域は、上端に後部収納端が凹設され、下端に後部嵌設端が突設され、前記後部収納端には、設置空間が凹設され、前記第２の合わせ領域は、前記第１の合わせ領域から前方へ延び、下端に前部収納端が凹設され、上端に前部嵌設端が突設され、前記背凭れ領域は、前記第１の合わせ領域の後端から上方へ延び、前記連結ユニットは、各前記フレームユニットの各前記サイドフレーム間に設けられた少なくとも１つの接続部材と、各前記サイドフレームの前記背凭れ領域に設けられた裏板と、を有し、前記クッションユニットは、前記フレームユニットの各前記サイドフレームの前記第１の合わせ領域及び前記第２の合わせ領域の下端に設けられ、前記椅子を積み重ねると、前記第１の合わせ領域に設けられた前記クッションユニットが前記設置空間に収容され、前記蓋板は、前記連結ユニットの各前記接続部材の上端に取り付けられることを特徴とするスタッキングチェア構造が提供される。
【０００６】
かくして、本考案の要旨は次の（１）〜（１０）に記載の通りのものである。
（１）フレームユニット、連結ユニット、クッションユニット及び蓋板を備えた椅子を含む、スタッキングチェア構造であって、
前記フレームユニットは、互いに並列した２つのサイドフレームを有し、各前記サイドフレームは、第１の合わせ領域、第２の合わせ領域及び背凭れ領域を有し、前記第１の合わせ領域は、上端に後部収納端が凹設され、下端に後部嵌設端が突設され、前記後部収納端には、設置空間が凹設され、前記第２の合わせ領域は、前記第１の合わせ領域から前方へ延び、下端に前部収納端が凹設され、上端に前部嵌設端が突設され、前記背凭れ領域は、前記第１の合わせ領域の後端から上方へ延び、
前記連結ユニットは、各前記フレームユニットの各前記サイドフレーム間に設けられた少なくとも１つの接続部材と、各前記サイドフレームの前記背凭れ領域に設けられた裏板と、を有し、
前記クッションユニットは、前記フレームユニットの各前記サイドフレームの前記第１の合わせ領域及び前記第２の合わせ領域の下端に設けられ、前記椅子を積み重ねると、前記第１の合わせ領域に設けられた前記クッションユニットが前記設置空間に収容され、
前記蓋板は、前記連結ユニットの各前記接続部材の上端に取り付けられることを特徴とするスタッキングチェア構造。
【０００７】
（２）前記フレームユニットの各前記サイドフレームの前記背凭れ領域の前後端の弧面は、一致するように組み合わされ、積み重ねられると互いに接合することを特徴とする前記（１）に記載のスタッキングチェア構造。
【０００８】
（３）複数の前記サイドフレームの前記第１の合わせ領域の前記後部収納端及び前記後部嵌設端は、凹設部分及び突設部分が同じ角度及び形状を有するため、複数の前記椅子を積み重ねると嵌設された状態となることを特徴とする前記（１）に記載のスタッキングチェア構造。
【０００９】
（４）複数の前記サイドフレームの前記第２の合わせ領域の前記前部収納端及び前記前部嵌設端は、凹設部分及び突設部分が同じ角度及び形状を有するため、複数の前記椅子を積み重ねると嵌設された状態となることを特徴とする前記（１）に記載のスタッキングチェア構造。
【００１０】
（５）前記フレームユニット、前記連結ユニット及び前記蓋板は、一体式又は組立式で結合されることを特徴とする前記（１）に記載のスタッキングチェア構造。
【００１１】
（６）前記組立式で結合する場合、前記フレームユニットの各前記サイドフレームは、複数の装着端を有し、
前記装着端は、各前記サイドフレームの前記第１の合わせ領域、前記第２の合わせ領域及び前記背凭れ領域の側方に設けられることを特徴とする請求項５に記載のスタッキングチェア構造。
【００１２】
（７）前記第１の合わせ領域及び前記第２の合わせ領域に前記装着端が設けられているとき、前記連結ユニットの各前記接続部材は、２つの組立端を有し、各前記接続部材の両側には、各前記サイドフレームの前記第１の合わせ領域及び前記第２の合わせ領域の前記装着端に各前記接続部材が取り付けられることを特徴とする前記（６）に記載のスタッキングチェア構造。
【００１３】
（８）各前記サイドフレームの前記背凭れ領域に前記装着端が設けられているとき、前記連結ユニットの前記裏板は、２つの組立端を有し、
各前記裏板の両側端には、前記背凭れ領域の前記装着端が取り付けられることを特徴とする前記（６）に記載のスタッキングチェア構造。
【００１４】
（９）各前記装着端と各前記組立端とは、螺着式又は組立式により結合されることを特徴とする前記（７）又は（８）に記載のスタッキングチェア構造。
【００１５】
（１０）前記クッションユニットは、螺着式又は組立式により結合されることを特徴とする前記（１）に記載のスタッキングチェア構造。
【考案の効果】
【００１６】
本考案のスタッキングチェア構造は、収納するときに積み重ねると、互いに組み合わされて安定し、取り出すときに引っ掛かることも防ぎ、収納し易く、積み重ねが安定し、外観においても優れたものである。
【図面の簡単な説明】
【００１７】
【図１】図１は、本考案の一実施形態に係るスタッキングチェア構造を示す斜視図である。
【図２】図２は、本考案の一実施形態に係るスタッキングチェア構造を示す側面図である。
【図３】図３は、本考案の一実施形態に係るスタッキングチェア構造を示す分解斜視図である。
【図４】図４は、本考案の一実施形態に係るスタッキングチェア構造の使用状態の説明図である。
【考案を実施するための形態】
【００１８】
図１〜図３を参照する。図１〜図３に示すように、本考案の一実施形態に係るスタッキングチェア構造は、椅子Ａを含む。椅子Ａは、少なくともフレームユニット１、連結ユニット２、クッションユニット３及び蓋板４から構成されてなる。
【００１９】
フレームユニット１は、互いに並列した２つのサイドフレーム１１を含む。各サイドフレーム１１は、第１の合わせ領域１１１、第２の合わせ領域１１２及び背凭れ領域１１３を有する。第１の合わせ領域１１１は、上端に後部収納端１１１１が凹設され、下端に後部嵌設端１１１２が突設される。後部収納端１１１１には、設置空間１１１３が凹設される。第２の合わせ領域１１２は、第１の合わせ領域１１１から前方へ延び、下端に前部収納端１１２１が凹設され、上端に前部嵌設端１１２２が突設される。背凭れ領域１１３は、第１の合わせ領域１１１の後端から上方へ延びる。
【００２０】
連結ユニット２は、各フレームユニット１の各サイドフレーム１１間に設けられた少なくとも１つの接続部材２１と、各サイドフレーム１１の背凭れ領域１１３に設けられた裏板２２と、を含む。
【００２１】
クッションユニット３は、フレームユニット１の各サイドフレーム１１の第１の合わせ領域１１１及び第２の合わせ領域１１２の下端に設けられ、椅子Ａを積み重ねると、第１の合わせ領域１１１に設けられたクッションユニット３が設置空間１１１３に収容される。
【００２２】
蓋板４は、連結ユニット２の各接続部材２１の上端に取り付けられる。
【００２３】
以下、本考案の一実施形態に係るスタッキングチェア構造についてさらに詳説する。
【００２４】
前述したフレームユニット１の各サイドフレーム１１の背凭れ領域１１３の前後端の弧面は、一致するように組み合わされ、積み重ねられると互いに接合する。
【００２５】
前述した複数のサイドフレーム１１の第１の合わせ領域１１１の後部収納端１１１１及び後部嵌設端１１１２は、凹設部分及び突設部分が同じ角度及び形状を有するため、複数の椅子Ａを積み重ねると嵌設された状態となる。
【００２６】
前述した複数のサイドフレーム１１の第２の合わせ領域１１２の前部収納端１１２１及び前部嵌設端１１２２の凹設部分及び突設部分は、同じ角度及び形状を有するため、複数の椅子Ａを積み重ねると嵌設された状態となる。
【００２７】
前述したフレームユニット１、連結ユニット２及び蓋板４は、一体式又は組立式で結合される。組立式で結合する場合、フレームユニット１の各サイドフレーム１１は、複数の装着端１２を有する。装着端１２は、各サイドフレーム１１の第１の合わせ領域１１１、第２の合わせ領域１１２及び背凭れ領域１１３の側方に設けられる。
【００２８】
そのため、上述した第１の合わせ領域１１１及び第２の合わせ領域１１２に装着端１２が設けられているとき、連結ユニット２の各接続部材２１は、２つの組立端２１１を有する。各接続部材２１の両側の各サイドフレーム１１の第１の合わせ領域１１１及び第２の合わせ領域１１２には、装着端１２が設けられる。上述した各サイドフレーム１１の背凭れ領域１１３に装着端１２が設けられているとき、連結ユニット２の裏板２２は、２つの組立端２２１を有する。各裏板２２の両側端には、背凭れ領域１１３の装着端１２が取り付けられる。上述した各装着端１２と各組立端２１１，２２１とは、螺着式又は組立式により結合される。
【００２９】
前述したクッションユニット３は、螺着式又は組立式により結合される。
【００３０】
図４を参照する。図４は、本考案の一実施形態に係るスタッキングチェア構造の使用状態の説明図である。図３及び図４に示すように、本考案の一実施形態に係るスタッキングチェア構造は、椅子Ａを含む。椅子Ａは、少なくともフレームユニット１、連結ユニット２、クッションユニット３及び蓋板４から構成されてなる。各部材については、既に上述しているためここでは繰り返して述べない。
【００３１】
フレームユニット１の各サイドフレーム１１が互いに並列され、各サイドフレーム１１の第１の合わせ領域１１１は、上端に後部収納端１１１１が凹設され、下端に後部嵌設端１１１２が突設される。後部収納端１１１１の凹設部分には、設置空間１１１３が設けられる。各サイドフレーム１１の第２の合わせ領域１１２は、第１の合わせ領域１１１から前方へ延び、下端に前部収納端１１２１が凹設され、上端に前部嵌設端１１２２が突設される。背凭れ領域１１３は、第１の合わせ領域１１１の後端から上方へ延び、第１の合わせ領域１１１とともに弧面を形成する。
【００３２】
連結ユニット２は、各フレームユニット１の各サイドフレーム１１間に設けられた各接続部材２１と、各サイドフレーム１１の背凭れ領域１１３に設けられ、各サイドフレーム１１を組立てて固定する裏板２２と、を含む。
【００３３】
クッションユニット３は、フレームユニット１の各サイドフレーム１１の第１の合わせ領域１１１及び第２の合わせ領域１１２の下端に設けられているため、地面に載置したときに滑り止めを行って安定的に使用することができる。椅子Ａを積み重ねると、第１の合わせ領域１１１に設けられたクッションユニット３が設置空間１１１３に収容される。蓋板４は、ユーザが座ることができるように、連結ユニット２の各接続部材２１の上端に取り付けられる。
【００３４】
このように、本考案のスタッキングチェア構造は、未使用時に収納する場合、互いに積み重ねて多くの空間を作り出し、上端の椅子Ａに積み重ねる。フレームユニット１の各サイドフレーム１１の第１の合わせ領域１１１の後部嵌設端１１１２は、下端に積み重ねた椅子Ａの上端に後部収納端１１１１が凹設される。上端に積み重ねた椅子Ａは、フレームユニット１の各サイドフレーム１１の第２の合わせ領域１１２の下端に、前部収納端１１２１が凹設される。第２の合わせ領域１１２の下端の前部嵌設端１１２２は、下端に積み重ねられた椅子Ａの上端から突出されている。各椅子Ａのフレームユニット１の各サイドフレーム１１の背凭れ領域１１３の前後端の弧面は、一致するように組み合わされ、各第１の合わせ領域１１１及び各第２の合わせ領域１１２が組み合わされて上端に積み重ねられた椅子Ａの背凭れ領域１１３が下端に積み重ねられた椅子Ａの背凭れ領域１１３に積み重ねると互いに接合される。このように、本考案のスタッキングチェア構造を互いに積み重ねると、各サイドフレーム１１が互いに結合されて略シームレスの嵌設状態となり、整理し易い上、積み重ねられたときの外観も良くなる。
【００３５】
また、本考案を積み重ねると、互いに積み重ねた上端の椅子Ａのフレームユニット１の両側の各サイドフレーム１１には、下端に椅子Ａの蓋板４が嵌設され、積み重ねたときに左右に滑ったり倒れたりすることがなく、積み重ねた状態が安定する。
【００３６】
また、椅子Ａを使用するときは、載置された椅子Ａの上端を直接持ち上げることができるため、引っ掛かって外れなくなることを防ぎ、中間又は下部に積み重ねた椅子Ａが引っ掛かって外れなくなることがない。そのため、本考案は積み重ねた後でも容易に取り出すことができ、使用が容易である。
【００３７】
本考案のスタッキングチェア構造は、その側辺に設けられたフレームユニット１の各サイドフレーム１１が第１の合わせ領域１１１及び第２の合わせ領域１１２を有し、使用しないときに積み重ねて収納し、多くの空間を作り出すことができる。第１の合わせ領域１１１は、上端に後部収納端１１１１が凹設され、下端に後部嵌設端１１１２が突設される。第２の合わせ領域１１２は、第１の合わせ領域１１１から前方へ延び、下端に前部収納端１１２１が凹設され、上端に前部嵌設端１１２２が突設される。そのため、積み重ねるときに第１の合わせ領域１１１の後部収納端１１１１と後部嵌設端１１１２とを組み合わせ、第２の合わせ領域１１２の前部収納端１１２１と前部嵌設端１１２２とを組み合わして積み重ねると安定し、倒れることを防ぐことができる上、各サイドフレーム１１を積み重ねると、連結ユニット２に挟設された蓋板４が左右に揺れず、互いに組み合わせる形状及び角度が一致するため、実際に取り出して使用する際、引っ掛かって取り出しにくくなるなどの問題点は生じない。そのため、収納するときに積み重ね易い上、積み重ねたときに互いに組み合わせて安定し、取り出す際、引っ掛かって取り出しにくくなることを防ぎ、収納が容易で積み重ねが安定する上、外観が良くなる。
【符号の説明】
【００３８】
１  フレームユニット
２  連結ユニット
３  クッションユニット
４  蓋板
１１  サイドフレーム
１２  装着端
２１  接続部材
２２  裏板
１１１  第１の合わせ領域
１１２  第２の合わせ領域
１１３  背凭れ領域
２１１  組立端
２２１  組立端
１１１１  後部収納端
１１１２  後部嵌設端
１１１３  設置空間
１１２１  前部収納端
１１２２  前部嵌設端
Ａ  椅子
【図１】
0003216438.tif 000003
【図２】
0003216438.tif 000004
【図３】
0003216438.tif 000005
【図４】
0003216438.tif 000006